(57)【特許請求の範囲】
【請求項１】
所定のバージョンの第１のコンテンツ情報を記録した記録媒体であって、
サーバと通信可能な電子計算機に、
通信回線を介して、該サーバに記録されると共に前記第１のコンテンツ情報に対応する第２のコンテンツ情報のバージョン情報を前記電子計算機に送信するよう前記サーバに要求するバージョン情報要求機能と、
該バージョン情報要求機能が要求した前記第２のコンテンツ情報のバージョン情報と、前記第１のコンテンツ情報のバージョン情報とを照合する照合機能と、
該照合機能が照合して前記第１のコンテンツ情報のバージョンと前記第２のコンテンツ情報のバージョンとが異なる場合、前記第１のコンテンツ情報と前記第２のコンテンツ情報の差分情報を、通信回線を介して前記電子計算機へ送信するよう前記サーバに要求する差分情報要求機能と、
前記第１のコンテンツ情報を構成する部分情報のうち、該差分情報要求機能が要求した前記差分情報に相当する部分情報を、前記差分情報に置き換える置換機能と、
前記照合機能が照合して前記第１のコンテンツ情報のバージョンと前記第２のコンテンツ情報のバージョンとが同じ場合には、前記第１のコンテンツ情報を前記電子計算機に読み取らせ、前記照合機能が照合して前記第１のコンテンツ情報のバージョンと前記第２のコンテンツ情報のバージョンとが異なる場合には、前記第２のコンテンツ情報を構成する部分情報のうち、前記差分情報要求機能が要求した前記差分情報に相当する部分情報を、前記差分情報として、前記サーバ内の同差分情報が格納された場所を示すコンテンツＵＲＬを基に前記電子計算機に読み取らせる読取制御機能を付与するプログラムを記録した電子計算機読み取り可能な記録媒体。
【請求項２】
前記プログラムは、前記電子計算機に前記プログラムが読み取りされたときに前記電子計算機が前記サーバと通信回線を介して接続されているかどうかを判定し、接続されている場合に、前記バージョン情報要求機能にバージョン情報を要求させるバージョン情報要求制御機能を、前記電子計算機に付与する
請求項１に記載の記録媒体。
【請求項３】
前記プログラムが、前記電子計算機に、前記記録媒体の操作履歴を示す操作ログ情報を前記サーバへ送信する操作ログ情報送信機能を付与する
請求項１または請求項２に記載の記録媒体。
【請求項４】
前記プログラムが、前記電子計算機に、前記記録媒体の利用者に関する情報である利用者情報を前記サーバへ通信回線を介して送信する利用者情報送信機能を付与する
請求項１〜３のいずれか１つに記載の記録媒体。
【発明の詳細な説明】
【技術分野】
【０００１】
本発明は記録媒体に関する。詳しくは、例えば、ホテルなどが提供する結婚式に関する動画情報が記録されたＤＶＤのような記録媒体に係るものである。
【背景技術】
【０００２】
インターネットにおいて、複数の商店のページが一つにまとまって商品を販売するウェブサイトとして、オンラインモール、若しくはサイバーモールと呼ばれるウェブサイトがある。
【０００３】
このようなウェブサイトは、商品の購入を希望する利用者に対して、商品情報を電子的に提供し、商品の注文を電子的に受付ける。
【０００４】
また、商品情報を提供する商品カタログ（若しくは電子カタログ）は、オンラインモールシステムにおいて、重要な要素である。商品の購入を希望する利用者は、商品カタログを参照することで、所望の商品の情報を入手し、購入するかどうかを考える。
【０００５】
例えば、特許文献１には、商品データベースに格納する商品データ情報を定義する際に、定義しようとする商品の本質に関わり商品データ情報の定義に必須とされる必須項目と、必須項目により定義される代表商品から派生して定義されるオプション商品の定義に必要となるオプション項目とをそれぞれ設定し、設定された必須項目から代表商品の商品データ情報を生成し、その後、設定されたオプション項目に基づいて、オプション商品に関する商品データ情報を生成し、商品データ情報は、電子ショップクライアントから電子モールサーバに転送され、商品データベースに格納される、電子ショッピングシステムが記載されている。
【先行技術文献】
【特許文献】
【０００６】
【特許文献１】特開平１０−２４０８２３号公報
【発明の概要】
【発明が解決しようとする課題】
【０００７】
しかしながら、ウェブサイトにおける商品情報の紹介では、利用者が、購入を希望している商品を掲載したウェブサイトへ辿り着くまでの操作が容易ではなく、その結果、辿り着く前に諦めてしまう利用者も多く、集客効果が良くない。
【０００８】
また、一方で、印刷カタログを配布しても、商品情報は得やすいが、商品情報が更新された場合には、すでに配布した印刷カタログの内容を更新することはできないため、役に立たないものとなっていた。
【０００９】
本発明は、以上の点に鑑みて創案されたものであり、利用者に配布された後でも配布時に記録されていた情報を自動で更新できる記録媒体を提供することを目的とする。
【課題を解決するための手段】
【００１０】
上記の目的を達成するために、本発明の記録媒体は、所定のバージョンの第１のコンテンツ情報を記録した記録媒体であって、サーバと通信可能な電子計算機に、通信回線を介して、該サーバに記録されると共に前記第１のコンテンツ情報に対応する第２のコンテンツ情報のバージョン情報を前記電子計算機に送信するよう前記サーバに要求するバージョン情報要求機能と、該バージョン情報要求機能が要求した前記第２のコンテンツ情報のバージョン情報と、前記第１のコンテンツ情報のバージョン情報とを照合する照合機能と、該照合機能が照合して前記第１のコンテンツ情報のバージョンと前記第２のコンテンツ情報のバージョンとが異なる場合、前記第１のコンテンツ情報と前記第２のコンテンツ情報の差分情報を、通信回線を介して前記電子計算機へ送信するよう前記サーバに要求する差分情報要求機能と、前記第１のコンテンツ情報を構成する部分情報のうち、該差分情報要求機能が要求した前記差分情報に相当する部分情報を、前記差分情報に置き換える置換機能とを付与するプログラムを記録した電子計算機読み取り可能なものである。
【００１１】
ここで、バージョン情報要求機能が要求した第２のコンテンツ情報のバージョン情報と、第１のコンテンツ情報のバージョン情報とを照合する照合機能によって、記録媒体に記録された第１のコンテンツ情報のバージョン情報を、サーバに記録された第２のコンテンツ情報のバージョン情報と常に照合することができ、記録媒体の第１のコンテンツ情報のバージョン情報と、サーバの第２のコンテンツ情報のバージョン情報との違いを確認できる。
【００１２】
また、照合機能が照合して第１のコンテンツ情報のバージョンと第２のコンテンツ情報のバージョンとが異なる場合、第１のコンテンツ情報と第２のコンテンツ情報の差分情報を、通信回線を介して電子計算機へ送信するようサーバに要求する差分情報要求機能によって、常に更新されるサーバに記録された情報を取得できる。
【００１３】
また、本発明の記録媒体において、プログラムが、電子計算機に、照合機能が照合して第１のコンテンツ情報のバージョンと第２のコンテンツ情報のバージョンとが同じ場合には、第１のコンテンツ情報を電子計算機に読み取らせ、照合機能が照合して第１のコンテンツ情報のバージョンと第２のコンテンツ情報のバージョンとが異なる場合には、第２のコンテンツ情報を構成する部分情報のうち、差分情報要求機能が要求した差分情報に相当する部分情報を差分情報として電子計算機に読み取らせる読取制御機能を付与するものとすることができる。
【００１４】
この場合、情報の読み取り先を変えるだけなので、円滑に、第１のコンテンツ情報を更新できる。
【００１５】
また、本発明の記録媒体において、プログラムは、電子計算機にプログラムが読み取りされたときに電子計算機がサーバと通信回線を介して接続されているかどうかを判定し、接続されている場合に、バージョン情報要求機能にバージョン情報を要求させるバージョン情報要求制御機能を、電子計算機に付与するものとすることができる。
【００１６】
また、本発明の記録媒体において、プログラムが、電子計算機に、記録媒体の操作履歴を示す操作ログ情報をサーバへ送信する操作ログ情報送信機能を付与するものとすることができる。
【００１７】
この場合、記録媒体の利用者（顧客）の操作ログ情報例えば利用者が参照したメニューや商品を、サーバに送信して記録することができるため、利用者の動向を分析でき、記録媒体のバージョンアップのときに役立てることができる。
【００１８】
また、本発明の記録媒体において、プログラムが、電子計算機に、記録媒体の利用者に関する情報である利用者情報をサーバへ通信回線を介して送信する利用者情報送信機能を付与する場合、サーバにおいて利用者情報をデータベース化できる。
【発明の効果】
【００１９】
本発明に係る記録媒体は、利用者に配布された後でも配布時に記録されていた情報を自動で更新できる。
【図面の簡単な説明】
【００２０】
【図１】本発明の記録媒体の内容が更新される仕組みを説明する概略図である。
【図２】本発明の記録媒体の内容が更新されるときの流れを説明するフロー図である。
【発明を実施するための形態】
【００２１】
以下、本発明の実施の形態について図面を参照しながら説明し、本発明の理解に供する。
図１は、本発明の記録媒体の内容が更新される仕組みを説明する概略図である。また、図２は、本発明の記録媒体の内容が更新されるときの流れを説明するフロー図である。
【００２２】
本発明のＤＶＤ（記録媒体の一例である。）１には、サーバ３とインターネット（通信回線の一例である。）４を介して通信可能なコンピュータ（電子計算機の一例である。）２に読み取られて、コンピュータ２に様々な機能を付与するプログラムが記録されている。
【００２３】
また、本発明のＤＶＤ１には、「バージョン（Ｖｅｒ．）１」の結婚式情報（第１のコンテンツ情報の一例である。）が記録されている。
この結婚式情報には、動画情報や音声情報の他に、ＤＶＤ１が挿入されたコンピュータ（電子計算機の一例である。）２を通して利用者からの指示を受けて所定のタスクを実行できる情報も含まれている。
【００２４】
また、結婚式情報を構成する部分情報は、具体的には例えば、結婚式で新郎新婦が着用する衣裳に関する情報、挙式スタイルに関する情報、披露宴会場に関する情報、価格など挙式プランに関する情報、料理に関する情報、披露宴の演出に関する情報、披露宴などで流す音楽に関する情報、装花に関する情報、並びに、二次会などその他の情報である。
【００２５】
ＤＶＤ１に記録されたプログラムは、コンピュータ２に挿入されると、コンピュータ２に読み取られ、コンピュータ２に、サーバ３に記録されると共にＤＶＤ１の結婚式情報（第１のコンテンツ情報）に対応する結婚式情報（第２のコンテンツ情報の一例である。）のバージョン情報をコンピュータ２に、インターネット４を介して送信するようサーバ３に要求するバージョン情報要求機能を付与する。
【００２６】
また、ＤＶＤ１に記録されたプログラムは、コンピュータ２に、バージョン情報要求機能が要求したサーバ３の結婚式情報（第２のコンテンツ情報）のバージョン情報と、ＤＶＤ１の結婚式情報のバージョン情報とを照合する照合機能を付与する。
【００２７】
また、ＤＶＤ１に記録されたプログラムは、コンピュータ２に、照合機能が照合してＤＶＤ１の結婚式情報のバージョンとサーバ３の結婚式情報のバージョンとが異なる場合、ＤＶＤ１の結婚式情報とサーバ３の結婚式情報の差分情報を、インターネット４を介してコンピュータ２へ送信するようサーバ３に要求する差分情報要求機能を付与する。
【００２８】
また、ＤＶＤ１に記録されたプログラムは、コンピュータ２に、ＤＶＤ１の結婚式情報を構成する部分情報のうち、差分情報要求機能が要求した差分情報に相当する部分情報を、差分情報に置き換える置換機能を付与する。
【００２９】
また、ＤＶＤ１に記録されたプログラムは、コンピュータ２に、照合機能が照合してＤＶＤ１の結婚式情報のバージョンとサーバ３の結婚式情報のバージョンとが同じ場合には、ＤＶＤ１の結婚式情報をコンピュータ２に読み取らせ、照合機能が照合してＤＶＤ１の結婚式情報のバージョンとサーバ３の結婚式情報のバージョンとが異なる場合には、サーバ３の結婚式情報を構成する部分情報のうち、差分情報要求機能が要求した差分情報に相当する部分情報を差分情報としてコンピュータ２に読み取らせる読取制御機能を付与する。
【００３０】
次に、図２を参照して、ＤＶＤ１の結婚式情報が更新される流れを説明する。
ＤＶＤ１の利用者が、ＤＶＤ１をコンピュータ２に挿入する（ステップＳ１）。
そして、ＤＶＤ１内のプログラムが起動する（ステップＳ２）。
【００３１】
さらに、ＤＶＤ１内のプログラムは、コンピュータ２に、バージョン情報要求機能を付与するので、バージョン情報要求機能を付与されたコンピュータ２は、サーバ３の結婚式情報のバージョン情報をコンピュータ２に、インターネット４を介して送信するようサーバ３に要求する（ステップＳ３）。
【００３２】
次に、ＤＶＤ１内のプログラムは、コンピュータ２に、照合機能を付与するので、照合機能を付与されたコンピュータ２は、送信されてきたサーバ３の結婚式情報のバージョン情報と、ＤＶＤ１の結婚式情報のバージョン情報とを照合する（ステップＳ４）。
【００３３】
そして、ＤＶＤ１内のプログラムは、コンピュータ２に、読取制御機能を付与するので、ＤＶＤ１の結婚式情報のバージョンとサーバ３の結婚式情報のバージョンとが同じ場合は、ＤＶＤ１の結婚式情報をコンピュータ２が読み取る（ステップＳ５−１）。
【００３４】
図１に示す例では、ＤＶＤ１の結婚式情報のバージョンは「バージョン１」であり、サーバ３の結婚式情報のバージョンは、ＤＶＤ１の結婚式情報のバージョンよりも新しい「バージョン２」であるから、両者は異なる。
【００３５】
バージョンが異なる場合、ＤＶＤ１内のプログラムは、コンピュータ２に、差分情報要求機能を付与するので、差分情報要求機能を付与されたコンピュータ２は、ＤＶＤ１の結婚式情報とサーバ３の結婚式情報の差分情報を、インターネット４を介してコンピュータ２へ送信するようサーバ３に要求する（ステップＳ５−２）。
【００３６】
図１に示す例では、ＤＶＤ１の結婚式情報を構成する挙式プランに関する情報が「挙式プランＡ」であるのに対し、サーバ３の結婚式情報を構成する挙式プランに関する情報が「挙式プランＢ」であるから、ＤＶＤ１の結婚式情報とサーバ３の結婚式情報の差分情報は、より新しい情報である「挙式プランＢ」となる。
【００３７】
そして、ＤＶＤ１内のプログラムは、コンピュータ２に、置換機能を付与するので、コンピュータ２は、ＤＶＤ１の結婚式情報を構成する挙式プランに関する情報を、差分情報である「挙式プランＢ」に置き換える（ステップＳ６）。
【００３８】
ここで、差分情報である「挙式プランＢ」は、具体的にはサーバ３内の「挙式プランＢ」が格納された場所を示すコンテンツＵＲＬである。
そして、ＤＶＤ１内のプログラムは、コンピュータ２に読取制御機能を付与するので、コンピュータ２は、「挙式プランＢ」が格納された場所を示すコンテンツＵＲＬを基に、サーバ３内の「挙式プランＢ」を読み取る。
【００３９】
即ち、ＤＶＤ１に記録された「挙式プランＡ」を、サーバ３に記録された「挙式プランＢ」に関する情報にそのまま置き換えて、コンピュータ２がＤＶＤ１から「挙式プランＢ」を読み取るのではなく、コンピュータ２が、ＤＶＤ１に記録された結婚式情報のうち、挙式プランに関する情報については、サーバ３に記録された「挙式プランＢ」を読み取り、その他の情報については、置換されていないので、ＤＶＤ１から読み取るのである。
【００４０】
なお、必ずしもサーバ内の差分情報を読み取らなくてもよく、差分情報で置き換えられた記録媒体内の部分情報を読み取るようにしてもよいことは勿論であるが、サーバ内の差分情報を読み取る方が、円滑に、第１のコンテンツ情報を更新できる。
【００４１】
また、ＤＶＤ１に記録されたプログラムは、コンピュータ２にプログラムが読み取りされたときにコンピュータ２がサーバ３とインターネット４を介して接続されているかどうかを判定し、接続されている場合に、バージョン情報要求機能にバージョン情報を要求させるバージョン情報要求制御機能を、コンピュータ２に付与する。
【００４２】
また、ＤＶＤ１に記録されたプログラムは、コンピュータ２に、ＤＶＤ１の操作履歴を示す操作ログ情報をサーバ３へ送信する操作ログ情報送信機能を付与する。
【００４３】
具体的には例えば、ＤＶＤ１に記録された結婚式情報を構成する、衣裳に関する情報、挙式プランに関する情報、料理に関する情報などのうち、ＤＶＤ１の利用者が、どの情報を何時間閲覧したかなどの操作ログ情報をサーバ３へ送信し、その情報を分析することで、次の企画に利用することができる。
【００４４】
また、ＤＶＤ１に記録されたプログラムは、コンピュータ２に、ＤＶＤ１の利用者に関する情報である利用者情報をサーバ３へ、インターネット４を介して送信する利用者情報送信機能を付与する。
【００４５】
ここで、通信回線の一例としてインターネットを挙げて説明したが、必ずしもインターネットでなくてもよく、例えば、ローカルエリアネットワーク（ＬＡＮ）であってもよい。
また、サーバと通信可能な電子計算機の一例として、コンピュータを挙げて説明したが、その他の例としてインターネットテレビが挙げられる。
【００４６】
また、本発明の記録媒体が、所定のバージョンの第１のコンテンツ情報を記録した記録媒体であって、サーバと通信可能な電子計算機に、バージョン情報要求機能と、照合機能と、差分情報要求機能と、置換機能とを付与するプログラムを記録した電子計算機読み取り可能なものであれば、必ずしもバージョン情報要求制御機能を電子計算機に付与しなくてもよい。
【００４７】
また、本発明の記録媒体が、所定のバージョンの第１のコンテンツ情報を記録した記録媒体であって、サーバと通信可能な電子計算機に、バージョン情報要求機能と、照合機能と、差分情報要求機能と、置換機能とを付与するプログラムを記録した電子計算機読み取り可能なものであれば、必ずしも操作ログ情報送信機能を電子計算機に付与しなくてもよい。
【００４８】
しかし、操作ログ情報送信機能を電子計算機に付与していれば、記録媒体の利用者（顧客）の操作ログ情報例えば利用者が参照したメニューや商品を、サーバに送信して記録することができるため、利用者の動向を分析でき、記録媒体のバージョンアップのときに役立てることができるので、好ましい。
【００４９】
また、本発明の記録媒体が、所定のバージョンの第１のコンテンツ情報を記録した記録媒体であって、サーバと通信可能な電子計算機に、バージョン情報要求機能と、照合機能と、差分情報要求機能と、置換機能とを付与するプログラムを記録した電子計算機読み取り可能なものであれば、必ずしも利用者情報送信機能を電子計算機に付与しなくてもよい。
【００５０】
しかし、利用者情報送信機能を電子計算機に付与していれば、サーバにおいて利用者情報をデータベース化できるので好ましい。
【００５１】
また、第１のコンテンツ情報や第２のコンテンツ情報として、結婚式情報を例に挙げて説明したが、必ずしも結婚式情報に限定されるものではないことは勿論である。
【００５２】
以上のように、本発明の記録媒体は、コンピュータなどの電子計算機に挿入されると、記録媒体のプログラムが起動し、コンピュータに、記録媒体に記録された第１のコンテンツ情報のバージョン情報と、サーバに記録された第２のコンテンツ情報のバージョン情報とを照合させ、互いのバージョンが異なる場合に、第１のコンテンツ情報と第２のコンテンツ情報の差分情報をサーバから取得させるので、常に更新されるサーバに記録された情報を取得できる。
【００５３】
従って、本発明の記録媒体は、利用者に配布された後でも配布時に記録媒体に記録されていた情報を自動で更新できる。
【００５４】
また、ＤＶＤなどの記録媒体という実体を伴った商品カタログであることから、顧客はわざわざウェブサイトにアクセスすることなく、顧客を商品カタログに導入し易く、また、記録媒体内の商品情報も常に更新されるので、商品購入につなげる可能性が高くなる。
【００５５】
また、印刷物のカタログと異なり、本発明の記録媒体は、商品情報が更新されるたびに再発行する必要がなく、サーバ上で商品情報を更新しておくだけでよいので、印刷経費を大幅に抑えることができる。
【００５６】
また、記録媒体に記録された情報のうち、どの情報をどれくらいの時間、顧客が閲覧したかといった操作ログ情報をサーバへ送信し記録するので、顧客の動向を分析でき、記録媒体のバージョンアップのときに役立てることができる。
【符号の説明】
【００５７】
１    ＤＶＤ
２    コンピュータ
３    サーバ
４    インターネット
【図１】
0005707215.tif 000002
【図２】
0005707215.tif 000003